Podtech/llm-jp-corpus-v4-ja_patent huggingface dataset:
【手続補正書】
【提出日】平成30年10月24日(2018.10.24)
【手続補正１】
【補正対象書類名】明細書
【補正対象項目名】発明の名称
【補正方法】変更
【補正の内容】
【発明の名称】商品データ登録装置、及びプログラム
【手続補正２】
【補正対象書類名】明細書
【補正対象項目名】０００１
【補正方法】変更
【補正の内容】
【０００１】
本発明の実施形態は、商品データ登録装置、及びプログラムに関する。
【手続補正３】
【補正対象書類名】明細書
【補正対象項目名】０００５
【補正方法】変更
【補正の内容】
【０００５】
本発明が解決しようとする課題は、会計装置の状態を表示することができる商品データ登録装置、及びプログラムを提供することである。
【手続補正４】
【補正対象書類名】明細書
【補正対象項目名】０００６
【補正方法】変更
【補正の内容】
【０００６】
実施形態の商品データ登録装置は、情報入力手段と、登録手段と、表示制御手段と、受信手段と、報知手段と、入力手段とを備えた。前記情報入力手段は、商品を識別する識別情報の入力を受け付ける。前記登録手段は、前記情報入力手段から入力された前記識別情報を用いて商品を登録する。前記表示制御手段は、前記登録手段が登録した前記商品を商品登録画面に表示する。前記受信手段は、前記登録手段が登録した前記商品の会計処理を行う会計装置から送信された、当該会計装置の状態を示す状態情報を受信する。前記報知手段は、前記受信手段が受信した前記状態情報が示す前記会計装置の状態と、当該会計装置を識別する情報とを有する報知画面を前記商品登録画面に表示する。前記入力手段は、前記報知手段が表示した前記報知画面が示す前記会計装置の状態の詳細を表示させる操作を受け付ける。
【手続補正５】
【補正対象書類名】特許請求の範囲
【補正対象項目名】全文
【補正方法】変更
【補正の内容】
【特許請求の範囲】
【請求項１】
商品を識別する識別情報の入力を受け付ける情報入力手段と、
前記情報入力手段から入力された前記識別情報を用いて商品を登録する登録手段と、
前記登録手段が登録した前記商品を商品登録画面に表示する表示制御手段と、
前記登録手段が登録した前記商品の会計処理を行う会計装置から送信された、当該会計装置の状態を示す状態情報を受信する受信手段と、
前記受信手段が受信した前記状態情報が示す前記会計装置の状態と、当該会計装置を識別する情報とを有する報知画面を前記商品登録画面に表示する報知手段と、
前記報知手段が表示した前記報知画面が示す前記会計装置の状態の詳細を表示させる操作を受け付ける入力手段と、
を備えた商品データ登録装置。
【請求項２】
前記入力手段は、前記商品登録画面に表示されたボタンである、
請求項１に記載の商品データ登録装置。
【請求項３】
前記報知手段は、前記受信手段が複数の前記会計装置から前記状態情報を受信している状態で、前記入力手段が前記会計装置の状態の詳細を表示させる操作を受け付けた場合に、前記会計装置の状態の詳細を示した状態画面を順次表示させる、
請求項１又は２に記載の商品データ登録装置。
【請求項４】
前記報知手段は、前記受信手段が複数の前記会計装置から前記状態情報を受信している状態で、前記入力手段が前記会計装置の状態の詳細を表示させる操作を受け付けた場合に、複数の前記会計装置の状態の詳細を一の画面に表示させる、
請求項１又は２に記載の商品データ登録装置。
【請求項５】
前記報知手段は、前記受信手段が受信した前記状態情報の種類に応じて、前記報知画面を消去する、
請求項１乃至４の何れか一項に記載の商品データ登録装置。
【請求項６】
コンピュータを、
商品を識別する識別情報の入力を受け付ける情報入力手段と、
前記情報入力手段から入力された前記識別情報を用いて商品を登録する登録手段と、
前記登録手段が登録した前記商品を商品登録画面に表示する表示制御手段と、
前記登録手段が登録した前記商品の会計処理を行う会計装置から送信された、当該会計装置の状態を示す状態情報を受信する受信手段と、
前記受信手段が受信した前記状態情報が示す前記会計装置の状態と、当該会計装置を識別する情報とを有する報知画面を前記商品登録画面に表示する報知手段と、
前記報知手段が表示した前記報知画面が示す前記会計装置の状態の詳細を表示させる操作を受け付ける入力手段と、
して機能させるためのプログラム。
【手続補正書】
【提出日】平成30年11月2日(2018.11.2)
【手続補正１】
【補正対象書類名】明細書
【補正対象項目名】０００７
【補正方法】変更
【補正の内容】
【０００７】
上記目的を達成するために、本発明に係る音声認識装置は、音源までの距離を判別する距離判別部と、音声信号を認識する音声認識部と、前記音声認識部により認識されうる登録語の設定を、前記距離判別部で判別された距離に応じて変更する認識登録語設定部と、を備える。
【手続補正２】
【補正対象書類名】明細書
【補正対象項目名】０００８
【補正方法】変更
【補正の内容】
【０００８】
上記目的を達成するために、本発明に係る音声認識方法は、音源までの距離を判別する距離判別工程と、音声信号を認識処理する音声認識工程と、を備え、前記音声認識工程では、前記距離判別工程で判別した距離に対応する登録語の設定で音声信号を認識処理する、ことを特徴とする。
【手続補正３】
【補正対象書類名】明細書
【補正対象項目名】００１０
【補正方法】変更
【補正の内容】
【００１０】
上記目的を達成するために、本発明に係るプログラムは、コンピュータに、音源までの距離を判別する距離判別工程と、音声信号を認識処理する音声認識工程と、を実行させ、
前記音声認識工程では、コンピュータに前記距離判別工程で判別した距離に対応する登録語の設定で音声信号を認識処理させる、ことを特徴とする。
【手続補正４】
【補正対象書類名】特許請求の範囲
【補正対象項目名】全文
【補正方法】変更
【補正の内容】
【特許請求の範囲】
【請求項１】
音源までの距離を判別する距離判別部と、
音声信号を認識する音声認識部と、
前記音声認識部により認識されうる登録語の設定を、前記距離判別部で判別された距離に応じて変更する認識登録語設定部と、
を備える音声認識装置。
【請求項２】
前記認識登録語設定部は、認識可能な登録語と認識不可な登録語とを特定し、前記距離判別部で判別された距離に応じて認識可能な登録語の数を変更し、
前記音声認識部は、音声信号を、前記認識可能に設定された登録語の設定で認識する、
ことを特徴とする請求項１に記載の音声認識装置。
【請求項３】
前記認識登録語設定部は、前記距離判別部で判別された距離が長くなるに従って、認識される登録語が減少するように、前記音声認識部により認識される登録語の設定を変更する、
ことを特徴とする請求項１または２に記載の音声認識装置。
【請求項４】
前記認識登録語設定部は、前記距離判別部で判別された距離が短くなるに従って、認識される登録語が増加するように、前記音声認識部により認識される登録語の設定を変更する、
ことを特徴とする請求項１または２に記載の音声認識装置。
【請求項５】
前記認識登録語設定部は、前記距離判別部が判別した距離が第１の長さの場合における認識可能な登録語の集合が、前記判別した距離が第１の長さより短い場合における認識可能な登録語の集合に含まれるように認識可能な登録語を設定する、
ことを特徴とする請求項１から４のいずれか１項に記載の音声認識装置。
【請求項６】
前記認識登録語設定部は、前記距離判別部が判別した距離が第２の長さの場合における認識可能な登録語の集合が、前記判別した距離が第２の長さより長い場合における認識可能な登録語の集合に含まれるように認識可能な登録語を設定する、
ことを特徴とする請求項１から４のいずれか１項に記載の音声認識装置。
【請求項７】
前記認識登録語設定部は、前記距離判別部が判別した距離によらず共通して認識可能な登録語を設定する、
ことを特徴とする請求項１から６のいずれか１項に記載の音声認識装置。
【請求項８】
前記認識登録語設定部は、前記判別した距離に基づいて、第１の登録語を認識可能に維持しつつ、該第１の登録語に音響的に類似する第２の登録語を認識可能な登録語から認識不可の登録語に変更する、
ことを特徴とする請求項１から７のいずれか１項に記載の音声認識装置。
【請求項９】
前記認識登録語設定部は、前記判別した距離に基づいて、認識対象の登録語に認識の容易度を示す重みを付与し、
前記音声認識部は、音声信号を、各登録語に付されている重みに従って認識する、
ことを特徴とする請求項１から８のいずれか１項に記載の音声認識装置。
【請求項１０】
音声信号から特徴量を求める特徴量抽出手段をさらに備え、
前記音声認識部は、前記特徴量抽出手段で抽出された特徴量と、前記認識されうる登録語の音声データとに基づいて、音声信号を認識する、
ことを特徴とする請求項１から９のいずれか１項に記載の音声認識装置。
【請求項１１】
前記特徴量抽出手段で求めた特徴量が特徴ベクトル列情報を含む、
ことを特徴とする請求項１０に記載の音声認識装置。
【請求項１２】
前記認識されうる登録語それぞれが、前記特徴量抽出手段で求めた特徴量に含まれる特徴ベクトル列を出力する尤度を算出する尤度算出手段をさらに備え、
前記音声認識部は、算出された尤度に基づいて、音声信号の認識を行う、
ことを特徴とする請求項１１に記載の音声認識装置。
【請求項１３】
前記尤度算出手段は、遷移元の状態から遷移先の状態への遷移確率と、状態が遷移するときその遷移先の状態で前記特徴ベクトル列に係る各特徴ベクトルが出力される確率とを、前記特徴ベクトル列にわたって乗算を繰り返して得られる累積値を求める、
ことを特徴とする請求項１２に記載の音声認識装置。
【請求項１４】
外部より音声信号を入力し、前記音声認識部に供給する音声入力部を更に備える、
ことを特徴とする請求項１から１３のいずれか１項に記載の音声認識装置。
【請求項１５】
前記音声認識部により認識されうる登録語の設定は、対応する所定の距離の範囲を備える、
ことを特徴とする請求項１から１４のいずれか１項に記載の音声認識装置。
【請求項１６】
請求項１から１４のいずれか１項に記載の音声認識装置を備え、
前記音声認識装置の音声認識の結果に基づいて動作する、
ことを特徴とするロボット。
【請求項１７】
前記音声認識部により認識されうる登録語の設定は、対応する所定の距離の範囲を備え、
前記音声認識部により音声信号が認識されない場合に、
前記距離判別部により判別された距離と前記所定の距離の範囲とに応じて移動する、
ことを特徴とする請求項１６に記載のロボット。
【請求項１８】
音源までの距離を判別する距離判別工程と、
音声信号を認識処理する音声認識工程と、
を備え、
前記音声認識工程では、前記距離判別工程で判別した距離に対応する登録語の設定で音声信号を認識処理する、
ことを特徴とする音声認識方法。
【請求項１９】
コンピュータに、
音源までの距離を判別する距離判別工程と、
音声信号を認識処理する音声認識工程と、
を実行させ、
前記音声認識工程では、コンピュータに前記距離判別工程で判別した距離に対応する登録語の設定で音声信号を認識処理させる、
ことを特徴とするプログラム。
【請求項２０】
前記音声認識工程では、複数の音声認識エンジンのうちの１つを、前記距離判別工程にて判別した距離に基づいて選択し、前記選択した音声認識エンジンによる音声信号の認識処理をコンピュータに実行させる、
ことを特徴とする請求項１９に記載のプログラム。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
画素を有する画素部と、前記画素部の外側の回路とを有し、
前記画素は、第１のトランジスタと、第２のトランジスタと、第３のトランジスタと、発光素子と、容量素子と、第１の配線と、第２の配線と、を有し、
前記第１のトランジスタのソースまたはドレインの一方は、前記第１の配線に電気的に接続され、
前記第１のトランジスタのソースまたはドレインの他方は、前記第２のトランジスタのゲートと、前記容量素子の一方の端子と、に電気的に接続され、
前記容量素子の他方の端子は、前記第２のトランジスタのソースまたはドレインの一方と、前記発光素子と、前記第３のトランジスタのソースまたはドレインの一方と、に電気的に接続され、
前記第２のトランジスタのソースまたはドレインの他方は、前記第２の配線に電気的に接続され、
前記第２のトランジスタのチャネル幅とチャネル長Ｌの比Ｗ／Ｌの値は、前記第３のトランジスタのチャネル幅とチャネル長の比Ｗ／Ｌの値よりも大きく、
前記第２のトランジスタと、前記第３のトランジスタの少なくとも一は、第１の導電層と、前記第１の導電層上の第１の絶縁層と、前記第１の絶縁層上の第１の酸化物半導体層と、前記第１の酸化物半導体層上の第２の絶縁層と、を有し、
前記回路は、第２の酸化物半導体層と、前記第２の酸化物半導体層上の前記第２の絶縁層と、前記第２の絶縁層を介して前記第２の酸化物半導体層と重なる領域を有する第２の導電層と、を有し、
前記第２の導電層は、電気的に浮遊した状態であることを特徴とする表示装置。
【請求項２】
画素を有する画素部と、前記画素部の外側の回路とを有し、
前記画素は、第１のトランジスタと、第２のトランジスタと、第３のトランジスタと、発光素子と、容量素子と、第１の配線と、第２の配線と、を有し、
前記第１のトランジスタのソースまたはドレインの一方は、前記第１の配線に電気的に接続され、
前記第１のトランジスタのソースまたはドレインの他方は、前記第２のトランジスタのゲートと、前記容量素子の一方の端子と、に電気的に接続され、
前記容量素子の他方の端子は、前記第２のトランジスタのソースまたはドレインの一方と、前記発光素子と、前記第３のトランジスタのソースまたはドレインの一方と、に電気的に接続され、
前記第２のトランジスタのソースまたはドレインの他方は、前記第２の配線に電気的に接続され、
前記第２のトランジスタのチャネル幅とチャネル長Ｌの比Ｗ／Ｌの値は、前記第３のトランジスタのチャネル幅とチャネル長の比Ｗ／Ｌの値よりも大きく、
前記第２のトランジスタと、前記第３のトランジスタの少なくとも一は、第１の導電層と、前記第１の導電層上の第１の絶縁層と、前記第１の絶縁層上の第１の酸化物半導体層と、前記第１の酸化物半導体層上の第２の絶縁層と、を有し、
前記回路は、第２の酸化物半導体層と、前記第２の酸化物半導体層上の前記第２の絶縁層と、前記第２の絶縁層を介して前記第２の酸化物半導体層と重なる領域を有する第２の導電層と、を有し、
前記第２の導電層は、ゲートとしての機能を有することを特徴とする表示装置。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
ＮｉとＭｎと、を含む原料液を調製する工程と、
反応槽内に水と前記原料液とｐＨ調整液とを添加してオーバーフロー法で共沈物を析出させる工程と、
前記共沈物を単離、洗浄する工程とを含み、
前記析出工程において混合液にせん断力をかけることを特徴とする、共沈物の製造方法。
【請求項２】
混合液にせん断力をかける方法が、前記混合液中でホモジナイザーを５０００〜６６００ｒｐｍで作動させること、または分散機を５０００〜１２０００ｒｐｍで作動させることである、請求項１に記載の共沈物の製造方法。
【請求項３】
前記混合液に含まれるＮｉ、Ｍｎの比がＮｉ：０．１５〜０．５であり、Ｍｎ：０．３３〜０．８５である請求項１又は２に記載の共沈物の製造方法。
【請求項４】
前記共沈物を析出させる工程において、混合液の温度が２０〜８０℃である、請求項１〜３のいずれか１項に記載の共沈物の製造方法。
【請求項５】
前記共沈物を析出させる工程において、混合液のｐＨが７〜１２の範囲である、請求項１〜４のいずれか１項に記載の共沈物の製造方法。
【請求項６】
前記共沈物のＢＥＴが５０〜３００ｍ２／ｇである、請求項１〜５のいずれか１項に記載の共沈物の製造方法。
【請求項７】
前記共沈物の累積体積分布曲線において５０％となる点の粒子径Ｄ５０が３〜１５μｍである、請求項１〜６のいずれか１項に記載の共沈物の製造方法。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
正極と、
リチウムイオンを吸蔵放出可能な負極活物質粒子を含む負極と、
少なくとも前記正極及び前記負極の間に配置され、リチウムイオン伝導性の固体電解質を含むセパレータと、
少なくとも前記正極中に存在し、第１のリチウム塩及び第１の水系溶媒を含む第１の電解質と、
少なくとも前記負極中に存在し、第２のリチウム塩及び第２の水系溶媒を含む第２の電解質とを含み、
前記第２の電解質のリチウムイオン濃度は、前記第１の電解質のリチウムイオン濃度以上の値である、二次電池。
【請求項２】
前記第２の電解質のｐＨ値は、前記第１の電解質のｐＨ値より高い、請求項１に記載の二次電池。
【請求項３】
前記第２の電解質の前記第２のリチウム塩の陰イオンは、Ｃｌ−、ＯＨ−、［（ＦＳＯ２）２Ｎ］−及び［（ＣＦ３ＳＯ２）２Ｎ］−よりなる群から選ばれる一種又は二種以上のイオンを含む、請求項１又は２に記載の二次電池。
【請求項４】
前記第１の電解質の前記第１のリチウム塩の陰イオンは、Ｃｌ−、ＮＯ３−、ＣＯ３２−、及びＳＯ４２−よりなる群から選ばれる一種又は二種以上のイオンを含む、請求項１〜３のいずれか１項に記載の二次電池。
【請求項５】
前記負極活物質粒子はチタン含有酸化物を含む、請求項１〜４のいずれか１項に記載の二次電池。
【請求項６】
前記セパレータは、前記固体電解質と高分子材料との複合体を含む、請求項１〜５のいずれか１項に記載の二次電池。
【請求項７】
請求項１〜６のいずれか１項に記載の二次電池を含む電池パック。
【請求項８】
前記二次電池を複数含み、前記複数の二次電池が直列、並列、又は直列と並列の組合せで電気的に接続されている、請求項７に記載の電池パック。
【請求項９】
保護回路及び通電用の外部端子をさらに含む、請求項７又は８に記載の電池パック。
【請求項１０】
請求項７〜９のいずれか１項に記載の電池パックを含む、車両。
【請求項１１】
前記電池パックが、前記車両の動力の回生エネルギーを回収するものである、請求項１０に記載の車両。
【手続補正２】
【補正対象書類名】明細書
【補正対象項目名】０００９
【補正方法】変更
【補正の内容】
【０００９】
実施形態によれば、正極と、負極と、セパレータと、第１の電解質と、第２の電解質とを含む二次電池が提供される。負極は、リチウムイオンを吸蔵放出可能な負極活物質粒子を含む。セパレータは、少なくとも正極及び負極の間に配置される。セパレータは、リチウムイオン伝導性の固体電解質を含む。第１の電解質は、少なくとも正極中に存在し、第１のリチウム塩及び第１の水系溶媒を含む。第２の電解質は、少なくとも負極中に存在し、第２のリチウム塩及び第２の水系溶媒を含む。第２の電解質のリチウムイオン濃度は、第１の電解質のリチウムイオン濃度以上の値である。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
本体ケースと、この本体ケースの上部に固定される上部ケースとを備え、
前記上部ケースは、前記本体ケースの上部にその内周側に位置した状態で固定された内側ケースと、前記本体ケースの上部にその外周側に位置した状態で配置された外側ケースと、前記内側ケースと前記外側ケースとの間に設けられ弾性変形する第一の緩衝部材と、
前記本体ケース上面と前記外側ケースの下面との間に設けられ、弾性変形する第二の緩衝部材と、
を備え、
前記内側ケースと前記外側ケースは前記第一の緩衝部材のみを介して接触し、
前記外側ケースと前記本体ケースは前記第二の緩衝部材のみを介して接触する、
ことを特徴とするケース。
【請求項２】
請求項１に記載のケースにおいて、前記内側ケースを前記本体ケースの内側上部に固定するための固定部を備えていることを特徴とするケース。
【請求項３】
請求項２に記載のケースにおいて、前記固定部は、前記内側ケースを前記本体ケースの内側上部に配置させて保持する保持部と、前記保持部に設けられて前記本体ケースの内周面にカシメ加工によって固定されるカシメ部と、を備えていることを特徴とするケース。
【請求項４】
請求項１〜請求項３のいずれかに記載のケースにおいて、前記上部ケースは、前記内側ケースの外周面に設けられて前記第一の緩衝部材を上方から押え付ける押え部と、前記外側ケースの内周面に設けられ、前記押え部によって押え付けられた前記第一の緩衝部材が上方から押し当てられて前記本体ケースの上部に向けて押し付けられる受け部と、を備えていることを特徴とするケース。
【請求項５】
前記第二の緩衝部材は防水部材を含み、
請求項１〜請求項４のいずれかに記載のケースにおいて、前記外側ケースは、前記本体ケースと前記外側ケースとの間に設けられた前記防水部材に押し当てられることにより、前記本体ケースに対してフローティング状態で配置されていることを特徴とするケース。
【請求項６】
請求項４に記載のケースにおいて、前記上部ケースは、前記内側ケースの外周面に設けられて前記外側ケースの前記受け部が食い込む食込み部と、前記食込み部と前記受け部との間に設けられて前記第一の緩衝部材が食い込む逃げ部と、を備えていることを特徴とするケース。
【請求項７】
請求項１〜請求項６のいずれかに記載のケースにおいて、前記第一の緩衝部材は、前記内側ケースと前記外側ケースとの間に配置され、断面が長方形のリング状に形成されていることを特徴とするケース。
【請求項８】
請求項６に記載のケースにおいて、前記第一の緩衝部材は、前記内側ケースの前記押え部と前記外側ケースの前記受け部との間に配置される第１緩衝部と、前記内側ケースの前記食込み部と前記外側ケースの前記受け部との間に設けられた前記逃げ部に配置される第２緩衝部と、を備え、これらがリング状に形成されていることを特徴とするケース。
【請求項９】
請求項１〜請求項８のいずれかに記載のケースにおいて、前記外側ケースの上部には、装飾部材が設けられていることを特徴とするケース。
【請求項１０】
請求項１〜請求項９のいずれかに記載のケースにおいて、前記内側ケースと前記外側ケースとは、表面処理によって異なる色に着色されていることを特徴とするケース。
【請求項１１】
請求項１〜請求項１０のいずれかに記載されたケースを備えていることを特徴とする時計。
【請求項１２】
本体ケースと、この本体ケースに固定される第二のケースとを備え、
前記第二のケースは、前記本体ケースの内周側に位置した状態で固定された内側ケースと、前記本体ケースの外周側に位置した状態で配置された外側ケースと、前記内側ケースと前記外側ケースとの間に設けられ弾性変形する第一の緩衝部材と、
前記本体ケースと前記外側ケースとの間に設けられ、弾性変形する第二の緩衝部材と、
を備え、
前記内側ケースと前記外側ケースは前記第一の緩衝部材のみを介して接触し、
前記外側ケースと前記本体ケースは前記第二の緩衝部材のみを介して接触する、
ことを特徴とするケース。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる第１始動口および第２始動口と、
前記第１始動口または第２始動口への入球を契機として取得した抽選値に基づいて当否判定を実行する当否判定手段と、
所定個数を上限に前記抽選値をその当否判定に対応する図柄の変動表示開始まで保留する保留制御手段と、
前記当否判定の結果を示すための図柄が変動表示される図柄表示装置と、
前記遊技領域の所定位置に設けられ、前記当否判定の結果に応じて開放され、遊技球の入球が遊技者への利益付与の契機となる大入賞口と、
前記当否判定の結果が小当りであることを示す図柄が停止表示された場合、前記大入賞口の開放を伴う小当り遊技を実行する小当り遊技制御手段と、
前記当否判定の結果が大当りであることを示す図柄が停止表示された場合、または、前記小当り遊技中に前記大入賞口内に入球した遊技球がさらにその内部に設けられた特定領域を通過した場合、前記大入賞口の開放を伴う特別遊技を実行する特別遊技制御手段と、
大当りまたは小当りが発生して所定の移行条件が満たされた場合、前記特別遊技の終了後に、前記第２始動口への入球容易性が通常状態より高い状態である入球容易状態へ移行させる特定遊技制御手段と、
演出的な内容が表示される演出表示装置と、
前記演出表示装置に表示させる演出的な内容を決定する演出決定手段と、
を備え、
前記保留制御手段に保留される抽選値は、前記第２始動口への入球を契機として取得した抽選値が優先して変動表示開始されるように構成されており、
前記演出決定手段は、前記入球容易状態における演出モードの演出を前記入球容易状態が終了した後、前記保留制御手段における前記第２始動口への入球を契機として取得した抽選値が無くなるまで表示可能であり、
前記入球容易状態が終了した状況下、前記演出決定手段は、遊技球が前記特定領域を通過することなく前記小当り遊技が終了した場合、次の図柄の変動表示に対する演出において前記入球容易状態における演出モードの演出が継続する状況と、前記入球容易状態における演出モードの演出が継続しない状況とで、小当り遊技終了デモにおける演出パターンを異ならせることを特徴とする弾球遊技機。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる第１始動口および第２始動口と、
前記第１始動口または第２始動口への入球を契機として取得した抽選値に基づいて当否判定を実行する当否判定手段と、
前記当否判定の結果を示すための図柄が変動表示される図柄表示装置と、
前記遊技領域の所定位置に設けられ、前記当否判定の結果に応じて開放され、遊技球の入球が遊技者への利益付与の契機となる大入賞口と、
前記当否判定の結果が当りとなった場合に、前記大入賞口の開放を伴う特別遊技を実行する特別遊技制御手段と、
当りが発生して所定の移行条件が満たされた場合、前記特別遊技の終了後に、前記第２始動口への入球容易性が通常状態より高い状態である入球容易状態へ移行させ、前記入球容易状態における図柄変動回数が所定の上限回数に達した場合に前記入球容易状態を終了させる特定遊技制御手段と、
演出的な内容が表示される演出表示装置と、
前記演出表示装置に表示させる演出内容を決定する演出決定手段と、
を備え、
前記第２始動口は、相対的に強く発射された遊技球が入球容易な位置に設けられており、
前記演出決定手段は、前記演出表示装置に表示する演出として前記図柄の変動表示に対応する変動演出を決定するものであって、
前記演出決定手段は、遊技状態に応じて、遊技球の発射強度を相対的に弱くすべき遊技状態であることを報知する第１報知演出と、遊技球の発射強度を相対的に強くすべき遊技状態であることを報知する第２報知演出のいずれかを表示可能とし、
前記演出決定手段は、前記入球容易状態において前記第２報知演出を複数の表示態様で実行可能であり、前記入球容易状態における前記変動演出の実行時間に係る所定のタイミングの前後において、前記第２報知演出の表示態様を異ならせることを特徴とする弾球遊技機。
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
（ａ）水分含有量が５重量％未満の木材を、反応圧力容器内で、無水酢酸及び／又は酢酸を含むアセチル化流体に、温度１０℃〜１２０℃で浸漬する工程と、
（ｂ）前記容器内の圧力を上げて、１〜３００分間２〜２０バールとする工程と、
（ｃ）前記容器から余剰の前記アセチル化流体を除去する工程と、
（ｄ）前記容器内に不活性流体を供給し、前記木材の内部温度が発熱を示し始めるまで前記流体を循環・加熱し、発熱が完了するまで前記木材への熱供給を制御して前記木材の内部温度を１８０℃より低く維持する工程と、
（ｅ）循環している前記流体を、１０〜１２０分間８５℃〜１６０℃に加熱し、第２の発熱反応を開始し、発熱が完了するまで前記木材への熱供給を制御して前記木材の内部温度を１８０℃より低く維持する工程と、
（ｆ）アセチル化による反応生成物を含む前記アセチル化流体を、真空下での蒸発により、前記木材から除去する工程と、
を含み、
工程（ａ）において、処理される前記木材の全乾密度は４００ｋｇ／ｍ３を超える、
木材をアセチル化する方法。
【請求項２】
処理される前記木材の全乾密度は４５０ｋｇ／ｍ３を超える、請求項１に記載の方法。
【請求項３】
処理される前記木材の全乾密度は５００ｋｇ／ｍ３を超える、請求項１に記載の方法。
【請求項４】
前記木材は、サザンイエローパイン又はヨーロッパアカマツ（Ｓｃｏｔｓ  ｐｉｎｅ）であり、
前記木材の前記水分含有量は、１〜４重量％である、請求項１〜３のいずれか一項に記載の方法。
【請求項５】
前記木材は、最小寸法が０．８ｃｍより大きい木材片である、請求項１〜４のいずれか一項に記載の方法。
【請求項６】
工程（ｆ）において、未使用の前記無水酢酸と副生成物の前記酢酸は、循環しているガスから凝縮される、請求項１〜５のいずれか一項に記載の方法。
【請求項７】
工程（ｆ）において、前記木材は、真空にしている間、１２０℃〜１６０℃で再加熱される、請求項６に記載の方法。
【請求項８】
工程（ｆ）において、前記木材からアセチル化による生成物を除去した後、前記容器内が大気圧に戻されて、前記容器からアセチル化木材が取り出される、請求項６又は７に記載の方法。
【請求項９】
前記不活性流体は、無水酢酸及び／又は酢酸で部分的又は完全に飽和されている、請求項１〜８のいずれか一項に記載の方法。
【請求項１０】
前記木材は、アセチル量が幾何学的中心において少なくとも２０重量％となるまでアセチル化される、請求項１〜９のいずれか一項に記載の方法。
【請求項１１】
アセチル化される前記木材は、幅が２ｃｍ〜３０ｃｍであり、厚さが２ｃｍ〜１６ｃｍであり、長さが１．５ｍ〜６．０ｍの木材片である、請求項１〜１０のいずれか一項に記載の方法。
【請求項１２】
全乾密度が５５０〜８００ｋｇ／ｍ３であり、アセチル量が幾何学的中心において少なくとも２０重量％であり、残留酢酸量が１重量％未満である、アセチル化された木材。
【請求項１３】
サザンイエローパイン又はヨーロッパアカマツ（Ｓｃｏｔｓ  ｐｉｎｅ）であり、
一つの梁における前記アセチル量の変化量は、３重量％未満である、請求項１２に記載のアセチル化された木材。
【請求項１４】
アセチル量が幾何学的中心において少なくとも２２重量％であり、残留酸量が０．５重量％未満である、請求項１２又は１３に記載のアセチル化された木材。
【請求項１５】
幅が２ｃｍ〜３０ｃｍであり、厚さが２ｃｍ〜１６ｃｍであり、長さが１．５ｍ〜６．０ｍである、請求項１２〜１４のいずれか一項に記載のアセチル化された木材の木材片。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
遊技が行われる遊技領域部と、
前記遊技領域部を視認可能な窓部を有する前面部材と、
前記前面部材に設けられ、遊技者によって操作されうる第１演出操作手段と、
前記前面部材に設けられ、遊技者によって操作されうるものであり、前記第１演出操作手段を操作したときの操作感とは異なる所定の操作感を遊技者に与えうる第２演出操作手段と、
前記第１演出操作手段に対する操作を要さずに前記第２演出操作手段に対する操作を要する特定演出を実行する特定演出実行手段と、
前記特定演出にて前記第２演出操作手段に対する操作が行われる前に、前記第２演出操作手段に対する操作の促進を示唆する促進示唆手段と、
前記特定演出にて前記第２演出操作手段に対する操作が行われた後に、前記第２演出操作手段に対する操作が受け付けられたことを示唆する受付示唆手段と、を備え、
前記第１演出操作手段と前記第２演出操作手段は、左右方向に離れて各々配置され、
前記促進示唆手段による示唆と前記受付示唆手段による示唆は、前記前面部材に設けられた共通発光部によって行なわれるものであり、該共通発光部は、前記第１演出操作手段よりも前記第２演出操作手段に近い特定部位に設けられており、
前記促進示唆手段による示唆に対応する前記共通発光部の発光態様と、前記受付示唆手段による示唆に対応する前記共通発光部の発光態様は、異なる発光態様であり、
前記共通発光部は、複数の発光体からなる
ことを特徴とする遊技機。
【手続補正２】
【補正対象書類名】明細書
【補正対象項目名】０００５
【補正方法】変更
【補正の内容】
【０００５】
しかしながら、従来の遊技者参加型演出においては、遊技興趣の低下を抑止することが困難であった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
そこで、本発明は、遊技興趣の低下を抑止することができる遊技機を提供することにある。
【手続補正６】
【補正対象書類名】明細書
【補正対象項目名】０００９
【補正方法】変更
【補正の内容】
【０００９】
（手段１）
遊技が行われる遊技領域部と、
前記遊技領域部を視認可能な窓部を有する前面部材と、
前記前面部材に設けられ、遊技者によって操作されうる第１演出操作手段と、
前記前面部材に設けられ、遊技者によって操作されうるものであり、前記第１演出操作手段を操作したときの操作感とは異なる所定の操作感を遊技者に与えうる第２演出操作手段と、
前記第１演出操作手段に対する操作を要さずに前記第２演出操作手段に対する操作を要する特定演出を実行する特定演出実行手段と、
前記特定演出にて前記第２演出操作手段に対する操作が行われる前に、前記第２演出操作手段に対する操作の促進を示唆する促進示唆手段と、
前記特定演出にて前記第２演出操作手段に対する操作が行われた後に、前記第２演出操作手段に対する操作が受け付けられたことを示唆する受付示唆手段と、を備え、
前記第１演出操作手段と前記第２演出操作手段は、左右方向に離れて各々配置され、
前記促進示唆手段による示唆と前記受付示唆手段による示唆は、前記前面部材に設けられた共通発光部によって行なわれるものであり、該共通発光部は、前記第１演出操作手段よりも前記第２演出操作手段に近い特定部位に設けられており、
前記促進示唆手段による示唆に対応する前記共通発光部の発光態様と、前記受付示唆手段による示唆に対応する前記共通発光部の発光態様は、異なる発光態様であり、
前記共通発光部は、複数の発光体からなる
ことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明によれば、遊技興趣の低下を抑止することができる。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
遊技者により操作可能な演出用操作部が設けられた前扉と、
遊技に関する所定の演出表示が行なわれる演出表示部と、
前記演出用操作部に対する操作に基づいて発光可能な操作対応発光部と、を備え、
前記演出用操作部は、遊技者による１回の操作である単操作を受け付けることが可能であり、該単操作の態様としては、受け付けた操作の内容に応じた複数の態様が設けられ、
前記演出表示部は、前記演出用操作部に対して単操作が行われることに基づいて所定の画像が表示されうるものであり、
前記操作対応発光部は、前記演出用操作部と前記演出表示部との間に配置される複数の発光体であって、
さらに、前記演出用操作部に対して行われた単操作の態様が複数の態様のうちの特別態様であった場合に、該特別態様に対応した特別発光制御で前記操作対応発光部を発光させる特別発光制御手段を備えた
ことを特徴とする遊技機。
【手続補正２】
【補正対象書類名】明細書
【補正対象項目名】０００５
【補正方法】変更
【補正の内容】
【０００５】
しかしながら、従来の遊技者参加型演出においては、遊技興趣の低下を抑止することが困難であった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
そこで、本発明は、遊技興趣の低下を抑止することができる遊技機を提供することにある。
【手続補正６】
【補正対象書類名】明細書
【補正対象項目名】０００９
【補正方法】変更
【補正の内容】
【０００９】
（手段１）
遊技者により操作可能な演出用操作部が設けられた前扉と、
遊技に関する所定の演出表示が行なわれる演出表示部と、
前記演出用操作部に対する操作に基づいて発光可能な操作対応発光部と、を備え、
前記演出用操作部は、遊技者による１回の操作である単操作を受け付けることが可能であり、該単操作の態様としては、受け付けた操作の内容に応じた複数の態様が設けられ、
前記演出表示部は、前記演出用操作部に対して単操作が行われることに基づいて所定の画像が表示されうるものであり、
前記操作対応発光部は、前記演出用操作部と前記演出表示部との間に配置される複数の発光体であって、
さらに、前記演出用操作部に対して行われた単操作の態様が複数の態様のうちの特別態様であった場合に、該特別態様に対応した特別発光制御で前記操作対応発光部を発光させる特別発光制御手段を備えた
ことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明によれば、遊技興趣の低下を抑止することができる。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
プレイヤの操作に応じてビデオゲームの進行を制御するビデオゲーム処理サーバであって、
前記プレイヤが操作するプレイヤキャラクタに関する複数の第一の情報を記憶する第一の情報記憶手段と、
他のプレイヤが使用するプレイヤキャラクタに関する第二の情報を取得する第二の情報取得手段と、
前記プレイヤキャラクタに関する複数の第一の情報の中からプレイヤの選択に基づいて第一の情報を決定する第一の情報決定手段と、
前記第一の情報決定手段で決定された前記第一の情報と前記他のプレイヤが使用するプレイヤキャラクタに関する第二の情報との組み合わせに応じて、前記プレイヤが操作するプレイヤキャラクタが示す属性とは異なる攻撃、防御、回復などの行動に関する特別な属性を示す特別行動属性を決定する特別行動属性決定手段と、
該特別行動属性決定手段により決定された特別行動属性を示す特別行動属性情報を前記プレイヤキャラクタに設定する特別行動属性情報設定手段と、
前記プレイヤからの実行要求に応じて、前記第一の情報と前記第二の情報との組み合わせに応じて決定されて設定された特別行動属性情報が示す特別な属性の行動を実行する行動実行手段とを含む
ことを特徴とするビデオゲーム処理サーバ。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
所定の遊技動作を契機として、通常遊技より遊技者に有利な状態である特別遊技を実行するメイン制御手段と、
前記メイン制御手段の遊技動作に関連した演出の実行を制御する演出制御手段と、
を備え、
前記演出制御手段は、
演出的な動作をする可動役物と、
前記可動役物を駆動するためのモータと、
前記モータの回転位置を検出するための回転位置検出手段と、
前記回転位置検出手段により検出された回転位置に基づいて前記モータを制御する回転制御手段と、
を備え、
前記回転位置検出手段は、
光の受光状況に応じて出力態様が変化する光センサと、前記モータの回転に関連づけられて、所定の回転位置にあるときに前記光センサの光を遮蔽することが可能な遮蔽手段とで構成され、
前記回転位置検出手段が検出可能な前記回転位置として、
前記回転制御手段が前記モータの回転の減速を開始する契機となる第１の回転位置と、
前記回転制御手段が前記モータの回転を停止させるための処理を開始する契機となる第２の回転位置と、
があり、
前記回転制御手段は、前記モータを第１の方向に回転させるときと、前記モータを第２の方向に回転させるときとで、前記第１の回転位置と前記第２の回転位置とを検出するときの前記遮蔽手段の回転位置が異なることを特徴とする遊技機。
【手続補正２】
【補正対象書類名】明細書
【補正対象項目名】０００６
【補正方法】変更
【補正の内容】
【０００６】
上記課題を解決するために、本発明のある態様の遊技機は、所定の遊技動作を契機として、通常遊技より遊技者に有利な状態である特別遊技を実行するメイン制御手段と、メイン制御手段の遊技動作に関連した演出の実行を制御する演出制御手段と、を備える。演出制御手段は、演出的な動作をする可動役物と、可動役物を駆動するためのモータと、モータの回転位置を検出するための回転位置検出手段と、回転位置検出手段により検出された回転位置に基づいてモータを制御する回転制御手段とを備える。回転位置検出手段は、光の受光状況に応じて出力態様が変化する光センサと、モータの回転に関連づけられて、所定の回転位置にあるときに光センサの光を遮蔽することが可能な遮蔽手段とで構成される。回転位置検出手段が検出可能な回転位置として、回転制御手段がモータの回転の減速を開始する契機となる第１の回転位置と、回転制御手段がモータの回転を停止させるための処理を開始する契機となる第２の回転位置とがある。回転制御手段は、モータを第１の方向に回転させるときと、モータを第２の方向に回転させるときとで、第１の回転位置と第２の回転位置とを検出するときの遮蔽手段の回転位置が異なる。
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
自律型清浄装置であって、
前記自律型清浄装置が移動するよう動作可能な駆動システムと、
清掃ヘッドと、
デブリ信号を生成するよう構成されたデブリセンサと、
コントローラであって、
前記駆動システムを制御して前記自律型清浄装置の移動を操作し、
前記デブリ信号に応じて前記自律型清浄装置の前記清掃ヘッドへの電力供給の調整を開始するよう構成された、
コントローラと、
を備える自律型清浄装置。
【請求項２】
前記コントローラは、更に、前記自律型清浄装置の移動速度の調整を開始するよう構成された、
請求項１に記載の自律型清浄装置。
【請求項３】
前記コントローラによって開始される前記電力供給の調整は、電力供給量を増加させることを含む、
請求項２に記載の自律型清浄装置。
【請求項４】
前記コントローラによって開始される前記移動速度の調整は、前記移動速度を低下させることを含む、
請求項３に記載の自律型清浄装置。
【請求項５】
前記デブリセンサによって生成される前記デブリ信号はデブリの量を示す、
請求項４に記載の自律型清浄装置。
【請求項６】
前記コントローラによって開始される前記電力供給の調整は、前記デブリ信号で示される前記デブリの量に応じた調整である、
請求項５に記載の自律型清浄装置。
【請求項７】
前記コントローラによって開始される前記移動速度の調整は、前記デブリ信号で示される前記デブリの量に応じた調整である、
請求項６に記載の自律型清浄装置。
【請求項８】
光インジケータを更に備え、
前記コントローラは、更に、前記デブリ信号に応じて前記光インジケータを起動するよう構成された、
請求項７に記載の自律型清浄装置。
【請求項９】
前記デブリセンサによって生成される前記デブリ信号はデブリの存在を示す、
請求項４に記載の自律型清浄装置。
【請求項１０】
前記コントローラによって開始される前記電力供給の調整は、前記デブリ信号で示される前記デブリの存在に応じた調整である、
請求項９に記載の自律型清浄装置。
【請求項１１】
前記コントローラによって開始される前記移動速度の調整は、前記デブリ信号で示される前記デブリの存在に応じた調整である、
請求項１０に記載の自律型清浄装置。
【請求項１２】
光インジケータを更に備え、
前記コントローラは、更に、前記デブリ信号に応じて前記光インジケータを起動するよう構成された、
請求項１１に記載の自律型清浄装置。
【請求項１３】
前記デブリセンサによって生成される前記デブリ信号はデブリの位置を示す、
請求項４に記載の自律型清浄装置。
【請求項１４】
前記コントローラによって開始される前記電力供給の調整は、前記デブリ信号で示される前記デブリの位置に応じた調整である、
請求項１３に記載の自律型清浄装置。
【請求項１５】
前記コントローラによって開始される前記移動速度の調整は、前記デブリ信号で示される前記デブリの位置に応じた調整である、
請求項１４に記載の自律型清浄装置。
【請求項１６】
光インジケータを更に備え、
前記コントローラは、更に、前記デブリ信号に応じて前記光インジケータを起動するよう構成された、
請求項１５に記載の自律型清浄装置。
【請求項１７】
前記コントローラは、更に、前記デブリ信号からデブリ勾配を判断し、判断された前記デブリ勾配に応じて前記自律型清浄装置の位置を調整するよう前記駆動システムに指示するよう構成された、
請求項１６に記載の自律型清浄装置。
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
遊技を行う遊技機であって、
装飾用識別情報画像の可変表示を行い表示結果を導出する可変表示手段と、
前記装飾用識別情報画像の可変表示の実行中に特定演出画像を表示可能な特定演出実行手段と、を備え、
前記特定演出画像は、少なくとも前記装飾用識別情報画像の一部よりも前方側の重複する位置に配置可能であり、
前記特定演出実行手段は、
前記装飾用識別情報画像の表示結果が導出される期間において、該装飾用識別情報画像よりも前方側にて重複する位置では前記特定演出画像の表示態様を静止態様とし、該装飾用識別情報画像と前方側にて重複しない位置では前記特定演出画像の表示態様を静止態様とせず、
前記装飾用識別情報画像の可変表示の実行中において、該装飾用識別情報画像よりも前方側にて重複する位置で前記特定演出画像の表示態様を時間経過に伴い変化可能である
ことを特徴とする遊技機。
【手続補正２】
【補正対象書類名】明細書
【補正対象項目名】０００４
【補正方法】変更
【補正の内容】
【０００４】
引用文献１の遊技機では、演出の興趣が不十分であった。
【手続補正３】
【補正対象書類名】明細書
【補正対象項目名】０００６
【補正方法】変更
【補正の内容】
【０００６】
（Ａ）上記目的を達成するため、本発明の遊技機は、
遊技を行う遊技機であって、
装飾用識別情報画像の可変表示を行い表示結果を導出する可変表示手段と、
前記装飾用識別情報画像の可変表示の実行中に特定演出画像を表示可能な特定演出実行手段と、を備え、
前記特定演出画像は、少なくとも前記装飾用識別情報画像の一部よりも前方側の重複する位置に配置可能であり、
前記特定演出実行手段は、
前記装飾用識別情報画像の表示結果が導出される期間において、該装飾用識別情報画像よりも前方側にて重複する位置では前記特定演出画像の表示態様を静止態様とし（例えば図３５のキャラクタＣＨ２−４を参照）、該装飾用識別情報画像と前方側にて重複しない位置では前記特定演出画像の表示態様を静止態様とせず（例えば図３５のキャラクタＣＨ２−１〜キャラクタＣＨ２−３を参照）、
前記装飾用識別情報画像の可変表示の実行中において、該装飾用識別情報画像よりも前方側にて重複する位置で前記特定演出画像の表示態様を時間経過に伴い変化可能である
ことを特徴とする。
このような構成によれば、演出の興趣が向上する。また、表示結果の誤認を防止することができる。
（１）上記目的を達成するため、本発明の他の遊技機は、
遊技を行う遊技機（例えばパチンコ遊技機１）であって、
表示装置（例えば画像表示装置５）の特定領域に特定画像（例えば飾り図柄）を表示する特定画像表示手段（例えばステップＳ１７２の処理を実行する演出制御用ＣＰＵ１２０）と、
前記特定画像の視認性が低下するように前記特定領域の少なくとも一部に重ねて計数領域を配置する計数領域配置手段（例えば透過型表示装置５０にタイマ画像ＴＭ２を表示する演出制御用ＣＰＵ１２０）と、を備え、
前記計数領域に示される計数値が特定値となったときに前記特定領域に前記特定画像とは異なる特殊画像（例えば特殊図柄）が表示され、
装飾用識別情報画像の可変表示を行い表示結果を導出する可変表示手段（例えばステップＳ３２５、Ｓ３４８、Ｓ３５０の処理を実行する演出制御用ＣＰＵ１２０など）と、
前記装飾用識別情報画像の可変表示の実行中に特定演出画像を表示可能な特定演出実行手段（例えばステップＳ１６２の変化演出用キャラクタ表示処理を実行する演出制御用ＣＰＵ１２０など）と、をさらに備え、
前記特定演出画像は、少なくとも前記装飾用識別情報画像の一部よりも前方側の重複する位置に配置可能であり（例えば図１９（Ｂ）を参照）、
前記特定演出実行手段は、
前記装飾用識別情報画像の表示結果が導出される期間において、該装飾用識別情報画像よりも前方側にて重複する位置では前記特定演出画像の表示態様を静止態様とし（例えば演出制御用ＣＰＵ１２０がステップＳ６０９の処理を実行する部分など）、
前記装飾用識別情報画像の可変表示の実行中において、該装飾用識別情報画像よりも前方側にて重複する位置で前記特定演出画像の表示態様を時間経過に伴い変化可能である。
このような構成によれば、計数領域を用いた演出の興趣が向上する。また、表示結果の誤認を防止することができる。